(57)【要約】【課題】回転体記憶装置の余寿命を的確に予測し、管理することが可能な回転体記憶装置の寿命予測・管理装置を提供する。【解決手段】ＨＤＤ装置１０７から発生する回転音を集音装置１０６で捉え、音声解析部１０５で解析する。解析の結果、ＨＤＤ装置１０７の余寿命状態は、「正常＝十分な余寿命あり」、「何らかの寿命の予兆のある状態＝余寿命が残り少ない」、および「異常＝寿命到達」の３段階に診断される。このようにして診断され予測された余寿命状態は、ＣＲＴディスプレイなどの表示装置１０３−１に表示される。これにより、ハードディスク装置などの回転体記憶装置の余寿命を的確に予測し、管理することができる。【選択図】  図１
2004152336.tif 000002
【特許請求の範囲】
【請求項１】
回転体記憶装置の余寿命状態を予測し管理する回転体記憶装置の寿命予測・管理装置において、回転体記憶装置から発生する音を捉える集音手段と、この集音手段からの電気信号を解析し、前記回転体記憶装置の余寿命状態を診断して予測する解析・診断手段とを具備したことを特徴とする回転体記憶装置の寿命予測・管理装置。
【請求項２】
回転体記憶装置の余寿命状態を予測し管理する回転体記憶装置の寿命予測・管理装置において、回転体記憶装置から発生する振動を捉える振動センシング手段と、この振動センシング手段からの電気信号を解析し、前記回転体記憶装置の余寿命状態を診断して予測する解析・診断手段とを具備したことを特徴とする回転体記憶装置の寿命予測・管理装置。
【請求項３】
回転体記憶装置の余寿命状態を予測し管理する回転体記憶装置の寿命予測・管理装置において、回転体記憶装置から発生する音または振動を捉える集音または振動センシング手段と、前記回転体記憶装置の稼働後の経過時間を計数する計数手段と、この計数手段により計数された稼働後の経過時間を保持する保持手段と、前記集音または振動センシング手段からの電気信号を解析し、この解析結果と、前記保持手段に保持されている稼働後の経過時間とを用いて前記回転体記憶装置の余寿命状態を診断して予測する解析・診断手段とを具備したことを特徴とする回転体記憶装置の寿命予測・管理装置。
【請求項４】
前記解析・診断手段は、前記電気信号の解析において、音圧または振動の振幅により余寿命をランク分類することを特徴とする請求項１乃至請求項３のいずれかに記載の回転体記憶装置の寿命予測・管理装置。
【請求項５】
前記解析・診断手段は、前記電気信号の解析において、音圧または振動のフーリエ解析を行い、そのスペクトル成分を解析することにより余寿命をランク分類することを特徴とする請求項１乃至請求項３のいずれかに記載の回転体記憶装置の寿命予測・管理装置。
【請求項６】
前記解析・診断手段により診断されて予測された前記余寿命状態、及び前記計数手段により計数された前記稼働後の経過時間のうちの少なくとも前記余寿命状態の情報を保守サービスセンタに送出するための通信手段を具備したことを特徴とする請求項１乃至請求項５のいずれかに記載の回転体記憶装置の寿命予測・管理装置。
【発明の詳細な説明】
【０００１】
【発明の属する技術分野】
本発明は、外部記憶装置として使用されるハードディスク装置などの余寿命状態を予測し管理する回転体記憶装置の寿命予測・管理装置に関する。
【０００２】
【従来の技術】
ハードディスク装置に代表される回転体記憶装置には寿命があり、それは稼働による劣化と、製造後の経過時間による劣化により定義されることはよく知られている。メーカ公表の寿命は、上記の両者の定義により表現されている。
【０００３】
従来は、これら回転体記憶装置の寿命はメーカから提示された上記寿命を参考に、装置が寿命に至る前に、新品と交換して装置としての延命を図ってきた。プロセス産業などの装置産業分野で用いられる分散型制御システム（ＤＣＳ／  Ｄｉｓｔｒｉｂｕｔｅｄ  Ｃｏｎｔｒｏｌ  Ｓｙｓｔｅｍ）では、数年に一回の定期点検時期に併せてこれらの有寿命装置を更新することにより、装置の長期安定稼働を図っている。
【０００４】
しかしながら、プラントの現場に分散設置される装置の有寿命装置を、装置の寿命に併せて、定期点検で更新することは、これを管理する部門の大きな経済的負担であり、更新時期を次回の定期点検時期まで延期できるのであれば、それをしたいところである。
【０００５】
ところで、従来、例えば、ハードディスク装置などの回転体記憶装置の寿命を知るため、ハードディスク装置の稼動時間をカウントする累積タイマーを設け、累積タイマーでカウントした時間がディスクの平均寿命時間に到達した場合に寿命として報知するようにした寿命時期自己診断装置が考えられている（例えば、特許文献１参照）。
【０００６】
【特許文献１】
特開２０００−１５６０２４号公報（第３頁、図１）
【０００７】
【発明が解決しようとする課題】
上述のように、外部記憶装置として使用されるハードディスク装置などの回転体記憶装置の寿命を的確に予測し、管理することが必要となっている。
【０００８】
しかしながら、特許文献１のように、画一的に、ハードディスク装置の稼動時間が、ある一定の時間（平均寿命時間）に達したことをもって寿命と診断することは、使用条件などにより実際にはまだ寿命に達していないハードディスク装置を寿命と診断してしまうことがあるという問題点があった。
【０００９】
そこで、本発明は従来のこのような点に鑑みて為されたもので、ハードディスク装置などの回転体記憶装置の余寿命を的確に予測し、管理することが可能な回転体記憶装置の寿命予測・管理装置を提供することを目的とする。
【００１０】
【課題を解決するための手段】
本発明は、回転体記憶装置の余寿命状態を予測し管理する回転体記憶装置の寿命予測・管理装置において、回転体記憶装置から発生する音を捉える集音手段と、この集音手段からの電気信号を解析し、回転体記憶装置の余寿命状態を診断して予測する解析・診断手段とを具備したことを特徴とする。
【００１１】
このような構成の本発明によれば、回転体記憶装置から発生する音を解析して、回転体記憶装置の余寿命を的確に予測し、管理することができる。
【００１２】
また、本発明は、回転体記憶装置の余寿命状態を予測し管理する回転体記憶装置の寿命予測・管理装置において、回転体記憶装置から発生する振動を捉える振動センシング手段と、この振動センシング手段からの電気信号を解析し、回転体記憶装置の余寿命状態を診断して予測する解析・診断手段とを具備したことを特徴とする。
【００１３】
このような構成の本発明によれば、回転体記憶装置から発生する振動を解析して、回転体記憶装置の余寿命を的確に予測し、管理することができる。
【００１４】
更に、本発明は、回転体記憶装置の余寿命状態を予測し管理する回転体記憶装置の寿命予測・管理装置において、回転体記憶装置から発生する音または振動を捉える集音または振動センシング手段と、回転体記憶装置の稼働後の経過時間を計数する計数手段と、この計数手段により計数された稼働後の経過時間を保持する保持手段と、集音または振動センシング手段からの電気信号を解析し、この解析結果と、保持手段に保持されている稼働後の経過時間とを用いて回転体記憶装置の余寿命状態を診断して予測する解析・診断手段とを具備したことを特徴とする。
【００１５】
このような構成の本発明によれば、回転体記憶装置から発生する音または振動を解析するとともに、回転体記憶装置の稼働後の経過時間を計数し、これら解析結果及び計数結果を用いることにより、回転体記憶装置の余寿命をより的確に予測し、管理することができる。
【００１６】
【発明の実施の形態】
本発明の趣旨は、ハードディスク装置などの回転体記憶装置から発生する振動または音を計測し、その装置の実余寿命を予測することである。
【００１７】
我々は、フィールドでのハードディスク装置の稼働状況をモニタすることにより、実際はメーカの言う稼働時間２０，０００時間および製造後５年の両寿命値を、難なくクリアし、大多数が長期間使用できていることを掴んでいる。しかしながら、ハードディスク装置が一旦故障に至れば、装置を停止して交換することになる。この実余寿命を知ることができれば、経済的な更新が可能になり、また寿命による稼働中のシステムの停止というリスクを未然に回避することができる。
【００１８】
この寿命とは、スピンドルモータのベアリング部のグリスの経年劣化が原因である。グリスが経年劣化することによりモータの回転性能が劣化し寿命に至る。ベアリング部のグリスが劣化することにより、振動が激しくなり、それは音となって周囲から認識できるようになる。
【００１９】
従って、この振動ないしは音を計測し、ディスクの実余寿命を予測することができる。
【００２０】
このような見識に基づき為された本発明の実施形態について、以下に説明する。
【００２１】
（第１の実施形態）
本発明の第１の実施形態に係る回転体記憶装置の寿命予測・管理装置の構成を図１に示す。
【００２２】
この実施形態は、音によるＨＤＤ装置（ハードディスク装置）の実余寿命予測・管理装置の構成例である。
【００２３】
この基本的構成は、パソコンや制御システムのＨＭＩ（ヒューマン・マシン・インタフェース）を想定して書かれているが、これは代表例であり、本発明はこの構成に限定するものではない。
【００２４】
図１に示すように、この装置は、内部バス１００を中心に、中央処理装置（ＣＰＵ）１０１、主記憶装置１０２、表示制御・入力制御部１０３、通信制御部１０４、および外部記憶装置としてのＨＤＤ装置（ハードディスク装置）１０７が配置され、それぞれ、内部バス１００を経由して情報の交換を行うような形になっている。
【００２５】
表示制御・入力制御部１０３には、ＣＲＴディスプレイなどの表示装置およびキーボード、マウス、タッチパネルなどの入力装置１０３−１が接続される。通信制御部１０４には、ＬＡＮなどの通信路１０４−１が接続される。
【００２６】
音声解析部１０５も他のモジュールと同様に内部バス１００に接続され、中央処理装置１０１などのモジュールと相互に情報の交換を行う。音声解析部１０５には、音を集める集音装置（マイクロフォン）１０６が接続され、これにより音を電気信号に変換し、音声解析部１０５に送る。
【００２７】
集音装置１０６は、ＨＤＤ装置１０７から発生する音を効果的に捉えられる場所に配置され、ＨＤＤ装置１０７から発生する音を捉え、音声解析部１０５に送る。
【００２８】
音声解析部１０５では、集音装置１０６で捉えたＨＤＤ装置１０７からの音、即ちＨＤＤ装置１０７から発生する回転音を解析する。
【００２９】
集音装置１０６で捉えられたＨＤＤ装置１０７から発生する回転音の解析の結果、そのＨＤＤ装置１０７の余寿命状態は、「正常＝十分な余寿命ありＲＳ−Ａ」、「何らかの寿命の予兆のある状態＝余寿命が残り少ないＲＳ−Ｂ」、および「異常＝寿命到達ＲＳ−Ｃ」の３段階に診断される。このようにして診断され予測された余寿命状態は、装置のＣＲＴディスプレイなどの表示装置１０３−１にハードウェアの稼働状態を示す診断画面として表示される他、画面上部のアラーム表示部にその状態を表示する。従って、オペレータは、ＣＲＴディスプレイなどの表示装置１０３−１に表示される稼働状態表示画面にて簡単にＨＤＤ装置１０７の実余寿命状態を知ることができる。また、警報音を発したり、警告表示灯などに表示したりすることもできる。
【００３０】
以上説明したように、この実施形態によれば、オペレータにＨＤＤ装置１０７の寿命到達あるいは寿命の予兆が発見されたことを通知することができる。
【００３１】
（第２の実施形態）
本発明の第２の実施形態に係る回転体記憶装置の寿命予測・管理装置の構成を図２に示す。
【００３２】
この実施形態は、振動によるＨＤＤ装置の実余寿命予測・管理装置の構成例である。
この構成は代表例であり、本発明はこの構成に限定するものではない。
【００３３】
図２に示すように、この装置は、内部バス２００を中心に、中央処理装置（ＣＰＵ）２０１、主記憶装置２０２、表示制御・入力制御部２０３、通信制御部２０４、および外部記憶装置としてのＨＤＤ装置２０７が配置され、それぞれ、内部バス２００を経由して情報の交換を行うような形になっている。
【００３４】
表示制御・入力制御部２０３には、ＣＲＴディスプレイなどの表示装置およびキーボード、マウス、タッチパネルなどの入力装置２０３−１が接続される。  通信制御部２０４には、ＬＡＮなどの通信路２０４−１が接続される。
【００３５】
振動解析部２０５も他のモジュールと同様に内部バス２００に接続され、中央処理装置２０１などのモジュールと相互に情報の交換を行う。振動解析部２０５には、振動を捉える振動センサ（ピックアップ）２０６が接続され、これによりＨＤＤ装置２０７の振動を電気信号に変換し、振動解析部２０５に送る。
【００３６】
振動センサ２０６は、ＨＤＤ装置２０７から発生する振動を効果的に捉えられる場所、例えばＨＤＤ装置２０７のエンクロジャー（ケース）等に配置され、ＨＤＤ装置２０７から発生する振動を捉え、振動解析部２０５に送る。
【００３７】
振動解析部２０５では、振動センサ２０６で捉えたＨＤＤ装置２０７からの振動、即ちＨＤＤ装置２０７から発生する回転振動を解析する。
【００３８】
振動センサ２０６で捉えられたＨＤＤ装置２０７から発生する回転振動の解析の結果、そのＨＤＤ装置２０７の余寿命状態は、「正常＝十分な余寿命ありＲＳ−Ａ」、「何らかの寿命の予兆のある状態＝余寿命が残り少ないＲＳ−Ｂ」、および「異常＝寿命到達ＲＳ−Ｃ」の３段階に診断される。このようにして診断され予測された余寿命状態は、装置のＣＲＴディスプレイなどの表示装置２０３−１にハードウェアの稼働状態を示す診断画面として表示される他、画面上部のアラーム表示部にその状態を表示する。従って、オペレータは、ＣＲＴディスプレイなどの表示装置２０３−１に表示される稼働状態表示画面にて簡単にＨＤＤ装置２０７の実余寿命状態を知ることができる。また、警報音を発したり、警告表示灯などに表示したりすることもできる。
【００３９】
以上説明したように、この実施形態によれば、オペレータにＨＤＤ装置２０７の寿命到達あるいは寿命の予兆が発見されたことを通知することができる。
【００４０】
（第３の実施形態）
本発明の第３の実施形態に係る回転体記憶装置の寿命予測・管理装置の構成を図３に示す。
【００４１】
この実施形態は、音声または振動と、総稼働時間の両者からＨＤＤ装置の実余寿命の予測・管理を行う予測・管理装置の構成例である。
【００４２】
この構成は代表例であり、本発明はこの構成に限定するものではない。
【００４３】
図３に示すように、この装置は、内部バス３００を中心に、中央処理装置（ＣＰＵ）３０１、主記憶装置３０２、表示制御・入力制御部３０３、通信制御部３０４、および外部記憶装置としてのＨＤＤ装置３０７が配置され、それぞれ、内部バス３００を経由して情報の交換を行うような形になっている。
【００４４】
表示制御・入力制御部３０３には、ＣＲＴディスプレイなどの表示装置およびキーボード、マウス、タッチパネルなどの入力装置３０３−１が接続される。通信制御部３０４には、ＬＡＮなどの通信路３０４−１が接続される。
【００４５】
音声または振動解析部３０５も他のモジュールと同様に内部バス３００に接続され、中央処理装置３０１などのモジュールと相互に情報の交換を行う。音声または振動解析部３０５には、音を集める集音装置（マイクロフォン）または振動センサ（ピックアップ）３０６が接続され、これにより音または振動を電気信号に変換し、音声または振動解析部３０５に送る。
【００４６】
集音装置または振動センサ３０６は、ＨＤＤ装置３０７から発生する音または振動を効果的に捉えられる場所に配置され、ＨＤＤ装置から発生する音または振動を捉え、音声または振動解析部３０５に送る。
【００４７】
音声または振動解析部３０５では、集音装置または振動センサ３０６で捉えたＨＤＤ装置３０７からの音または振動、即ちＨＤＤ装置３０７から発生する回転音または回転振動を解析する。
【００４８】
集音装置または振動センサ３０６で捉えられたＨＤＤ装置３０７から発生する回転音または回転振動の解析の結果、そのＨＤＤ装置３０７の余寿命状態は、「正常＝十分な余寿命ありＲＳ―Ａ」、「何らかの寿命の予兆のある状態＝余寿命が残り少ないＲＳ−Ｂ」、および「異常＝寿命到達ＲＳ−Ｃ」の３段階に診断される。これらの状態は、装置のＣＲＴディスプレイなどの表示装置３０３−１にハードウェアの稼働状態を示す診断画面として表示される他、画面上部のアラーム表示部にその状態を表示する。また、警報音を発したり、警告表示灯などに表示したりすることもできる。
【００４９】
また、主記憶装置３０２には、寿命情報管理テーブル３０２−１０が形成されている。
【００５０】
この寿命情報管理テーブル３０２−１０には、ＨＤＤ装置３０７の総稼働時間３０２−１１、ＨＤＤ装置３０７の設置（稼働開始）時期情報３０２−１２、ＨＤＤ装置の形式３０２−１３、ＨＤＤ装置のメーカ名３０２−１４などが記録されている。総稼働時間３０２−１１は、設置時期情報３０２−１２を起点に、電源が投入されている期間に経過時間が計数・加算される仕組みになっている。この計数・加算の手段は、所定の精度を維持できるのであれば、ハードウェア回路にて実施しても構わないし、ソフトウェアによって実施しても構わない。計数・加算の結果は、主記憶装置３０２内部の総稼働時間３０２−１１に記憶される。主記憶装置３０２の情報は装置の電源が切断されるときは、切断前に自動的にＨＤＤ装置３０７に退避される。
【００５１】
上記計数・加算結果により、総稼働時間が次第に増加するが、その値により、「正常＝十分な余寿命ありＣＳ−Ａ」、「何らかの寿命の予兆のある状態＝余寿命が残り少ないＣＳ−Ｂ」、および「異常＝寿命到達ＣＳ−Ｃ」の識別を行う。
【００５２】
そして、音または振動の解析の結果により推定した余寿命ランクＲＳ−Ａ、ＲＳ−Ｂ、ＲＳ−Ｃと、総稼働時間により推定した余寿命ランクＣＳ−Ａ、ＣＳ−Ｂ、ＣＳ−Ｃの両方の値により、余寿命状態を総合的に診断し、予測する。
【００５３】
総合的に診断し、予測する方法としては、例えば、音または振動の解析の結果により推定した余寿命ランクがＲＳ−Ａの場合は、総稼働時間により推定した余寿命ランクがＣＳ−Ａ、またはＣＳ−Ｂの場合は、「正常＝十分な余寿命ありＡ」と診断し、総稼働時間により推定した余寿命ランクがＣＳ−Ｃの場合は、「何らかの寿命の予兆のある状態＝余寿命が残り少ないＢ」と診断する。音または振動の解析の結果により推定した余寿命ランクがＲＳ−Ｂの場合は、総稼働時間により推定した余寿命ランクがＣＳ−Ａ、またはＣＳ−Ｂの場合は、「何らかの寿命の予兆のある状態＝余寿命が残り少ないＢ」と診断し、総稼働時間により推定した余寿命ランクがＣＳ−Ｃの場合は「異常＝寿命到達Ｃ」と診断する。音または振動の解析の結果により推定した余寿命ランクがＲＳ−Ｃの場合は、総稼働時間により推定した余寿命ランクの値の如何に拘わらず「異常＝寿命到達Ｃ」と診断する。
【００５４】
そして、このようにして音または振動の解析の結果と総稼働時間の両方の値から総合的に診断され予測された余寿命状態は、装置のＣＲＴディスプレイなどの表示装置３０３―１にハードウェアの稼働状態の総合的診断結果を示す診断画面として表示する他、画面上部のアラーム表示部にその状態を表示する。また、警報音を発したり、警告表示灯などに表示したりすることもできる。
【００５５】
以上説明したように、この実施形態によれば、音または振動の結果により推定した余寿命ランクと総稼働時間により推定した余寿命ランクの値によりＨＤＤ装置３０７の余寿命を総合的に判断することができ、総合的に診断され予測された余寿命状態をオペレータに通知することができる。
【００５６】
また、ＨＤＤ装置の形式、メーカ、稼働時間とともにこれらの寿命情報を管理することにより、ＨＤＤ装置の余寿命傾向の貴重な情報として、データを蓄積することができる。
【００５７】
（第４の実施形態）
次に、本発明の第４の実施形態について説明する。
【００５８】
ハードディスク装置は余寿命が残り少なくなると、スピンドルモータ軸受け部のグリスの劣化およびベアリングの磨耗により、回転音が大きくなる。また、この回転音のもとはベアリング部の振動であるから、その振動も大きくなる。
【００５９】
そこで、この実施形態においては、使用開始後の稼働時間の異なるハードディスク装置のサンプルを集め、その動作時に発生する音圧レベルまたは振動の振幅を調査し、データを収集する。これにより、上述の各実施形態で述べた余寿命ランクＲＳ−Ａ、ＲＳ−Ｂ、ＲＳ−Ｃの境界の音圧レベル、または振動の振幅レベルを決定し、判定基準として用いる。
【００６０】
そして、集音装置または振動センサ１０６、２０６、または３０６から電気信号として入力されたアナログ信号の振幅を上記判定基準で３段階に分類し、ＲＳ−ＢおよびＲＳ−Ｃのレベルに診断された場合に対応する警報レベルで、または総稼働時間との総合評価でＢまたはＣのレベルに診断された場合に対応する警報レベルで、装置のＣＲＴディスプレイなどの表示装置１０３−１、２０３−１、または３０３−１にハードウェアの稼働状態を示す診断画面として表示し、また画面上部のアラーム表示部にその状態を表示する。さらに、警報音を発したり、警告表示灯などに表示したりすることも可能である。
【００６１】
（第５の実施形態）
次に、本発明の第５の実施形態について説明する。
【００６２】
この実施形態は、第４の実施形態と同様、使用開始後の稼働時間の異なるハードディスクのサンプルを集め、その動作時に発生する音圧レベルまたは振動をフーリエ解析し、そのスペクトルデータを収集する。これにより、上述の第１乃至第３の実施形態で述べた余寿命ランクＲＳ−Ａ、ＲＳ−Ｂ、ＲＳ−Ｃの境界の音圧スペクトル、または振動スペクトルを決定し、判定基準として用いる。
【００６３】
そして、集音装置または振動センサ１０６、２０６、または３０６から電気信号として入力されたアナログ信号を、解析部１０５、２０５、または３０５でフーリエ変換し、得られたデータを上記判定基準で３段階に分類し、ＲＳ−ＢおよびＲＳ−Ｃのレベルに診断された場合に対応する警報レベルで、または総稼働時間との総合評価でＢまたはＣのレベルに診断された場合に対応する警報レベルで、装置のＣＲＴディスプレイなどの表示装置１０３−１、２０３−１、または３０３−１にハードウェアの稼働状態を示す診断画面として表示し、また画面上部のアラーム表示部にその状態を表示する。さらに、警報音を発したり、警告表示灯などに表示したりすることも可能である。
【００６４】
（第６の実施形態）
本発明の第６の実施形態に係る回転体記憶装置の寿命予測・管理装置の構成を図４に示す。
【００６５】
この実施形態は、インターネット、イントラネットなどの通信手段とＨＤＤ装置の実余寿命予測・管理装置とを組み合わせたシステムの構成例である。
【００６６】
この構成は代表例であり、本発明はこの構成に限定するものではない。
【００６７】
図４に示すように、このＨＤＤ装置の実余寿命予測・管理装置を組み込んだシステムＡは、内部バス４００を中心に、中央処理装置（ＣＰＵ）４０１、主記憶装置４０２、表示制御・入力制御部４０３、通信制御部４０４、およびＨＤＤ装置４０７が配置され、それぞれ、内部バス４００を経由して情報の交換を行うような形になっている。
【００６８】
表示制御・入力制御部４０３には、ＣＲＴディスプレイなどの表示装置およびキーボード、マウス、タッチパネルなどの入力装置４０３−１が接続される。通信制御部４０４には、通信路４０４−１を経由してモデム４０８などの装置が接続される。
【００６９】
音声または振動解析部４０５も他のモジュールと同様に内部バス４００に接続され、中央処理装置４０１などのモジュールと相互に情報の交換を行う。
【００７０】
音声または振動解析部４０５には、音を集める集音装置（マイクロフォン）または振動センサ（ピックアップ）４０６が接続され、これにより音または振動を電気信号に変換し、音声または振動解析部４０５に送る。
【００７１】
集音装置または振動センサ４０６は、ＨＤＤ装置４０７から発生する音または振動を効果的に捉えられる場所に配置され、ＨＤＤ装置４０７から発生する音または振動を捉え、音声または振動解析部４０５に送る。
【００７２】
音声または振動解析部４０５では、集音装置または振動センサ４０６で捉えたＨＤＤ装置４０７からの音または振動を解析する。
【００７３】
集音装置または振動センサ４０６で捉えられたＨＤＤ装置４０７から発生する回転音または回転振動の解析の結果、そのＨＤＤ装置４０７の余寿命状態は、「正常＝十分な余寿命ありＲＳ−Ａ」、「何らかの寿命の予兆のある状態＝余寿命が残り少ないＲＳ−Ｂ」、および「異常＝寿命到達ＲＳ−Ｃ」の３段階に診断される。これらの状態は、装置のＣＲＴディスプレイなどの表示装置４０３−１にハードウェアの稼働状態を示す診断画面として表示される他、画面上部のアラーム表示部にその状態を表示する。また、警報音発生器、警告表示灯などにその警報状態を出力する。
【００７４】
さらに、ＨＤＤ装置の実余寿命予測・管理装置を組み込んだシステムＡのモデム４０８を経由して外部の通信回線に出た寿命情報は、通信回線を経由して保守サービスセンタＢの管理サーバ４０９に到達する。これらの寿命情報は、管理サーバ４０９の記憶装置に記録・管理される。保守サービスセンタＢのオペレータは、通信回線を経由して、契約されている他の装置とも交信し、各装置から寿命情報を取得し、同様に記録・管理することができる。
【００７５】
これにより、インターネット、イントラネットなどの通信手段を用いて、取得されたこれらの情報を保守サービスセンタＢにて一括管理することができ、また、これらをエンドユーザへの設備更新計画の作成に役立てることができる。
【００７６】
【発明の効果】
本発明によれば、回転体記憶装置の余寿命を的確に予測し、管理することができる。
【図面の簡単な説明】
【図１】本発明の第１の実施形態に係る回転体記憶装置の寿命予測・管理装置の構成図。
【図２】本発明の第２の実施形態に係る回転体記憶装置の寿命予測・管理装置の構成図。
【図３】本発明の第３の実施形態に係る回転体記憶装置の寿命予測・管理装置の構成図。
【図４】本発明の第６の実施形態に係る回転体記憶装置の寿命予測・管理装置の構成図。
【符号の説明】
１００…内部バス
１０１…中央処理装置（ＣＰＵ）
１０２…主記憶装置
１０３…表示制御・入力制御部
１０３−１…表示装置・入力装置
１０４…通信制御部
１０４−１…通信路
１０５…音声解析部
１０６…集音装置（マイクロフォン）
１０７…ＨＤＤ装置
２００…内部バス
２０１…中央処理装置（ＣＰＵ）
２０２…主記憶装置
２０３…表示制御・入力制御部
２０３−１…表示装置・入力装置
２０４…通信制御部
２０４−１…通信路
２０５…振動解析部
２０６…振動センサ（ピックアップ）
２０７…ＨＤＤ装置
３００…内部バス
３０１…中央処理装置（ＣＰＵ）
３０２…主記憶装置
３０２−１０…寿命情報管理テーブル
３０２−１１…総稼働時間情報
３０２−１２…設置（稼動開始）時期情報
３０２−１３…ＨＤＤ装置の形式
３０２−１４…ＨＤＤ装置のメーカ名
３０３…表示制御・入力制御部
３０３−１…表示装置・入力装置
３０４…通信制御部
３０４−１…通信路
３０５…音声または振動解析部
３０６…集音装置または振動センサ
３０７…ＨＤＤ装置
４００…内部バス
４０１…中央処理装置（ＣＰＵ）
４０２…主記憶装置
４０３…表示制御・入力制御部
４０３−１…表示装置・入力装置
４０４…通信制御部
４０４−１…通信路
４０５…音声または振動解析部
４０６…集音装置または振動センサ
４０７…ＨＤＤ装置
４０８…モデム
４０９…管理サーバ
Ａ…ＨＤＤ装置の実余寿命予測・管理装置を組み込んだシステム
Ｂ…保守サービスセンタ
【図１】
2004152336.tif 000003
【図２】
2004152336.tif 000004
【図３】
2004152336.tif 000005
【図４】
2004152336.tif 000006